(57)【要約】この方法および装置は、ガラスウェブを供給源から目標地点に向かって運搬方向に搬送し、ガラスウェブに、複数の分離した罫書きセグメントを有する罫書き線を生成するようにガラスウェブの幅の方向に罫書きし、それにより罫書き線とガラスウェブの先端縁部との間にガラスウェブの区分を画成し、ガラスウェブが搬送されるにつれてガラスウェブの区分の増加部分がカンチレバー状になるように、またガラスウェブの区分のこの部分が十分に大きくなって各罫書きセグメントに応力を生じさせかつ夫々の亀裂がガラスウェブの厚さを貫通するようにさせるように、ガラスウェブを支持し、さらに、ガラスウェブから、罫書き線に沿ったガラスウェブの区分の分離を可能にするものを提供する。
2018508450.tif 000002
【特許請求の範囲】
【請求項１】
長さと、該長さを横切る幅と、厚さとを有するガラスウェブを分離する方法であって、
（ａ）前記ガラスウェブに、複数の分離した罫書きセグメントを有する罫書き線を生成するように前記ガラスウェブの幅の方向に罫書きするステップであって、それにより前記罫書き線と前記ガラスウェブの先端縁部との間に該ガラスウェブの区分を画成する、ステップ、
（ｂ）罫書きするステップから前記ガラスウェブを、目標地点に向かって前記ガラスウェブの長さに平行な運搬方向に、曲げゾーンまで搬送するステップ、
（ｃ）前記ガラスウェブが搬送されるにつれて該ガラスウェブの前記区分の増加部分がカンチレバー状になりかつ前記ガラスウェブの前記区分の前記部分が重力下で垂下することが許容されるように、前記ガラスウェブを前記曲げゾーンで支持し、さらに、前記ガラスウェブの前記区分の前記部分が十分に大きくなって前記各罫書きセグメントに応力を生じさせかつ夫々の亀裂が前記ガラスウェブの前記厚さを貫通するようにさせるよう、搬送を継続するステップ、
（ｄ）前記ガラスウェブの前記区分を、前記ガラスウェブから前記罫書き線に沿って分離させるステップ、および、
（ｅ）（ａ）から（ｄ）のステップを繰り返して、前記ガラスウェブの複数の区分を生成するステップ、
を含むことを特徴とする方法。
【請求項２】
前記ガラスウェブを搬送するステップが、前記ガラスウェブを連続的に搬送するステップを含み、さらに、
前記ガラスウェブに罫書きするステップが、前記ガラスウェブの搬送と同時に前記罫書き線を生成するステップを含むことを特徴とする請求項１記載の方法。
【請求項３】
前記罫書き線の１以上の前記罫書きセグメントの長さが、（ｉ）約２．５から約７５ｃｍ（約１から約３０インチ）、（ｉｉ）５から５０ｃｍ（約２から約２０インチ）、（ｉｉｉ）約７．５から約２５ｃｍ（約３から約１０インチ）、および（ｉｖ）約１０から約２０ｃｍ（約４〜８インチ）、のうちの１つである、および、
前記罫書き線の前記各罫書きセグメント間の１以上の間隔の長さが、（ｉ）約２．５から約７５ｃｍ（約１から約３０インチ）、（ｉｉ）約５から約５０ｃｍ（約２から約２０インチ）、（ｉｉｉ）約７．５から約２５ｃｍ（約３から約１０インチ）、および（ｉｖ）約１０から約２０ｃｍ（約４〜８インチ）、のうちの１つである、
のうちの少なくとも一方である、請求項１または２記載の方法。
【請求項４】
前記罫書き線の１以上の前記罫書きセグメントの深さが、（ｉ）約２から約２０μｍ、（ｉｉ）約５から約１５μｍ、（ｉｉｉ）約１０μｍ、および（ｉｖ）前記ガラスウェブの前記厚さの約２から約４０％、のうちの１つである、請求項１から３いずれか１項記載の方法。
【請求項５】
前記ガラスウェブが、
前記ガラスウェブの１つの縁部に沿った、第１の望ましくない側縁部および関連する側部ゾーン、
前記ガラスウェブの反対側の縁部に沿った、第２の望ましくない側縁部および関連する側部ゾーン、および、
前記第１の望ましくない側縁部および関連する側部ゾーンと、前記第２の望ましくない側縁部および関連する側部ゾーンとのうちの、少なくとも一方に隣接して配置された、中心ゾーン、をさらに含み、
前記罫書き線と前記ガラスウェブの前記先端縁部との間の前記ガラスウェブの前記区分が（ｉ）前記第１の望ましくない側縁部および関連する側部ゾーンの区分と、（ｉｉ）前記第２の望ましくない側縁部および関連する側部ゾーンの区分と、（ｉｉｉ）これらの間の前記中心ゾーンの区分とを有する一体的な区分になるように、前記罫書きするステップが、前記第１の望ましくない側縁部および関連する側部ゾーンと、前記第２の望ましくない側縁部および関連する側部ゾーンと、前記中心ゾーンとの夫々に罫書きするステップを含み、さらに、
前記ガラスウェブの前記区分を前記ガラスウェブから前記罫書き線に沿って分離させるステップが、前記ガラスウェブからの前記一体的な区分の分離をもたらすものである、請求項１から４いずれか１項記載の方法。
【請求項６】
前記ガラスウェブが、
前記ガラスウェブの１つの縁部に沿った、第１の望ましくない側縁部および関連する側部ゾーン、
前記ガラスウェブの反対側の縁部に沿った、第２の望ましくない側縁部および関連する側部ゾーン、および、
前記第１の望ましくない側縁部および関連する側部ゾーンと、前記第２の望ましくない側縁部および関連する側部ゾーンとのうちの、少なくとも一方に隣接して配置された、中心ゾーン、をさらに含み、
前記罫書き線と前記ガラスウェブの前記先端縁部との間の前記ガラスウェブの前記区分が（ｉ）前記第１の望ましくない側縁部および関連する側部ゾーンの小区分と、（ｉｉ）前記第２の望ましくない側縁部および関連する側部ゾーンの小区分と、（ｉｉｉ）前記中心ゾーンの小区分とを含む分離した３つの小区分を有するように、前記罫書きするステップが、前記第１の望ましくない側縁部および関連する側部ゾーンと、前記第２の望ましくない側縁部および関連する側部ゾーンと、前記中心ゾーンとの夫々に罫書きするステップを含み、
前記ガラスウェブを搬送するステップが、前記ガラスウェブの分離した前記３つの小区分の全てを同時に前記曲げゾーンまで搬送するステップを含み、さらに、
前記ガラスウェブの前記３つの小区分を前記ガラスウェブから前記罫書き線に沿って分離させるステップが、前記ガラスウェブからの、分離した前記３つの小区分の分離をもたらすものである、請求項１から４いずれか１項記載の方法。
【請求項７】
前記ガラスウェブが、
前記ガラスウェブの１つの縁部に沿った、第１の望ましくない側縁部および関連する側部ゾーン、
前記ガラスウェブの反対側の縁部に沿った、第２の望ましくない側縁部および関連する側部ゾーン、および、
前記第１の望ましくない側縁部および関連する側部ゾーンと、前記第２の望ましくない側縁部および関連する側部ゾーンとのうちの、少なくとも一方に隣接して配置された、中心ゾーン、をさらに含み、
前記罫書きするステップの前に、前記第１の望ましくない側縁部および関連する側部ゾーンと前記第２の望ましくない側縁部および関連する側部ゾーンの夫々を、前記ガラスウェブの前記中心ゾーンから分離するステップをさらに含み、
前記罫書き線と前記ガラスウェブの前記先端縁部との間の前記ガラスウェブの前記区分が（ｉ）前記第１の望ましくない側縁部および関連する側部ゾーンの小区分と、（ｉｉ）前記第２の望ましくない側縁部および関連する側部ゾーンの小区分とを含み、かつ（ｉｉｉ）前記中心ゾーンの小区分を含まない、分離した２つの小区分を有するように、前記罫書きするステップが、前記第１の望ましくない側縁部および関連する側部ゾーンと前記第２の望ましくない側縁部および関連する側部ゾーンとの夫々に罫書きし、前記中心ゾーンには罫書きしないステップを含み、
前記ガラスウェブを搬送するステップが、前記ガラスウェブの分離した前記２つの小区分および前記中心ゾーンを、同時に前記曲げゾーンまで搬送するステップを含み、さらに、
前記分離させるステップが、前記２つの小区分のみを前記ガラスウェブから前記罫書き線に沿って分離させて、前記中心ゾーンの連続したシートを前記ガラスウェブに接続されたまま残すステップを含む、請求項１から４いずれか１項記載の方法。
【請求項８】
長さと、長さを横切る幅と、厚さとを有するガラスウェブを処理する装置であって、
前記ガラスウェブをガラスウェブ供給源から目標地点に向かって、該ガラスウェブの長さに平行な運搬方向に搬送するように構成された、運搬機構、
前記ガラスウェブに、複数の分離した罫書きセグメントを有する罫書き線を生成するように前記ガラスウェブの幅の方向に罫書きし、それにより前記罫書き線と前記ガラスウェブの先端縁部との間に該ガラスウェブの区分を画成するように構成された、罫書き機構、
前記ガラスウェブが前記運搬機構で搬送されるにつれて該ガラスウェブの前記区分の増加部分がカンチレバー状になりかつ前記ガラスウェブの前記区分の前記部分が重力下で垂下することが許容されるように、前記ガラスウェブを曲げゾーンで支持し、さらに、前記ガラスウェブの前記区分の前記部分が十分に大きくなって前記各罫書きセグメントに応力を生じさせかつ夫々の亀裂が前記ガラスウェブの前記厚さを貫通するようにさせるよう、搬送を継続するように構成された、支持機構、
前記ガラスウェブから、前記罫書き線に沿った前記ガラスウェブの前記区分の分離を可能にするように構成された、分離ゾーン、および、
前記搬送、前記罫書き、前記支持、および前記分離を繰り返して、前記ガラスウェブの複数の区分を生成するように構成された、コントローラ、
を備えていることを特徴とする装置。
【請求項９】
前記運搬機構が、前記ガラスウェブを連続的に搬送するように構成されており、かつ、
前記罫書き機構が、前記ガラスウェブに罫書きし、かつ前記ガラスウェブの搬送と同時に前記罫書き線を生成するように構成されている、請求項８記載の装置。
【請求項１０】
前記ガラスウェブが、
前記ガラスウェブの１つの縁部に沿った、第１の望ましくない側縁部および関連する側部ゾーン、
前記ガラスウェブの反対側の縁部に沿った、第２の望ましくない側縁部および関連する側部ゾーン、および、
前記第１の望ましくない側縁部および関連する側部ゾーンと、前記第２の望ましくない側縁部および関連する側部ゾーンとのうちの、少なくとも一方に隣接して配置された、中心ゾーン、を含み、
前記罫書き線と前記ガラスウェブの前記先端縁部との間の前記ガラスウェブの前記区分が（ｉ）前記第１の望ましくない側縁部および関連する側部ゾーンの区分と、（ｉｉ）前記第２の望ましくない側縁部および関連する側部ゾーンの区分と、（ｉｉｉ）これらの間の前記中心ゾーンの区分とを有する一体的な区分になるように、前記罫書き機構が、前記第１の望ましくない側縁部および関連する側部ゾーンと、前記第２の望ましくない側縁部および関連する側部ゾーンと、前記中心ゾーンとの夫々に罫書きするように構成されており、さらに、
前記ガラスウェブの前記区分の分離が前記ガラスウェブからの前記一体的な区分の分離をもたらすように、前記分離ゾーンが構成されている、請求項８または９記載の装置。
【請求項１１】
前記ガラスウェブが、
前記ガラスウェブの１つの縁部に沿った、第１の望ましくない側縁部および関連する側部ゾーン、
前記ガラスウェブの反対側の縁部に沿った、第２の望ましくない側縁部および関連する側部ゾーン、および、
前記第１の望ましくない側縁部および関連する側部ゾーンと、前記第２の望ましくない側縁部および関連する側部ゾーンとのうちの、少なくとも一方に隣接して配置された、中心ゾーン、を含み、
前記装置が、前記罫書きの前に、前記第１の望ましくない側縁部および関連する側部ゾーンと前記第２の望ましくない側縁部および関連する側部ゾーンの夫々を、前記ガラスウェブの前記中心ゾーンから分離するように動作し、
前記罫書き線と前記ガラスウェブの前記先端縁部との間の前記ガラスウェブの前記区分が（ｉ）前記第１の望ましくない側縁部および関連する側部ゾーンの小区分と、（ｉｉ）前記第２の望ましくない側縁部および関連する側部ゾーンの小区分と、（ｉｉｉ）前記中心ゾーンの小区分とを含む分離した３つの小区分を有するように、前記罫書き機構が、前記第１の望ましくない側縁部および関連する側部ゾーンと、前記第２の望ましくない側縁部および関連する側部ゾーンと、前記中心ゾーンとの夫々に罫書きするように構成されており、
前記運搬機構が、前記ガラスウェブの前記分離した３つの小区分の全てを同時に前記曲げゾーンまで搬送するように構成されており、さらに、
前記ガラスウェブの前記区分の分離が前記ガラスウェブからの前記分離した３つの小区分の分離をもたらすように、前記分離ゾーンが構成されている、請求項８または９記載の装置。
【請求項１２】
前記ガラスウェブが、
前記ガラスウェブの１つの縁部に沿った、第１の望ましくない側縁部および関連する側部ゾーン、
前記ガラスウェブの反対側の縁部に沿った、第２の望ましくない側縁部および関連する側部ゾーン、および、
前記第１の望ましくない側縁部および関連する側部ゾーンと、前記第２の望ましくない側縁部および関連する側部ゾーンとのうちの、少なくとも一方に隣接して配置された、中心ゾーン、を含み、
前記装置が、前記罫書きの前に、前記第１の望ましくない側縁部および関連する側部ゾーンと前記第２の望ましくない側縁部および関連する側部ゾーンの夫々を、前記ガラスウェブの前記中心ゾーンから分離するように動作し、
前記罫書き線と前記ガラスウェブの前記先端縁部との間の前記ガラスウェブの前記区分が（ｉ）前記第１の望ましくない側縁部および関連する側部ゾーンの小区分と、（ｉｉ）前記第２の望ましくない側縁部および関連する側部ゾーンの小区分とを含み、かつ（ｉｉｉ）前記中心ゾーンの小区分を含まない、分離した２つの小区分を有するように、前記罫書き機構が、前記第１の望ましくない側縁部および関連する側部ゾーンと前記第２の望ましくない側縁部および関連する側部ゾーンとの夫々に罫書きし、前記中心ゾーンには罫書きしないように構成されており、
前記運搬機構が、前記ガラスウェブの分離した前記２つの小区分および前記中心ゾーンを、同時に前記曲げゾーンまで搬送するように構成されており、さらに、
前記ガラスウェブの前記区分の分離が、前記ガラスウェブからの前記２つの小区分のみの前記罫書き線に沿った分離をもたらして前記中心ゾーンの連続したシートを前記ガラスウェブに接続されたまま残すものであるように、前記分離ゾーンが構成されている、請求項８または９記載の装置。
【発明の詳細な説明】
【関連出願の説明】
【０００１】
本出願は、その内容が引用されその全体が参照することにより本書に組み込まれる、２０１５年１月２９日に出願された米国仮特許出願第６２／１０９２３４号の優先権の利益を米国特許法第１１９条の下で主張するものである。
【技術分野】
【０００２】
本開示は、ガラスウェブから各区分を製造する方法および装置に関する。
【背景技術】
【０００３】
極薄ガラスウェブの連続的処理は比較的新しい分野であり、製造課題がいくつか存在する。従来のプロセスは、ガラスウェブを提供し、次いでガラスウェブを適切なサイズの幅および長さに切断するステップを含む。一例のガラスウェブ製造プロセスはダウンドロープロセスであり、このプロセスでは、第１のビード側縁部（およびガラスウェブの１つの縁部に沿った関連する側部ゾーン）と、第２のビード側縁部（およびガラスウェブの反対側の縁部に沿った関連する側部ゾーン）と、第１および第２のビード側縁部間に配置される中心ゾーンとによって特徴付けられるガラスウェブをもたらすことができる。ダウンドロープロセスにおいて第１および第２のビード縁部（および関連するゾーン）は、ガラスウェブの中心ゾーンとは著しく異なる、厚さ、機械的特性、および／または光学的特性を有するものにされ得る。中心ゾーンの上記特性はより望ましいと見なされることが多いため、製造プロセスは典型的には第１および第２のビード縁部（および関連するゾーン）を除去し、それにより中心ゾーンを最終的な製品を製造するために残すものを含む。
【発明の概要】
【発明が解決しようとする課題】
【０００４】
第１および第２のビード縁部（および関連するゾーン）を分離して、この部分を再溶融のために処理する、および／または中心ゾーンを最終的な製品のために適切な長さに切断する、従来の手法は、特に極薄ガラスウェブが含まれる場合には最適であるとは言い難い。従って当技術では、ガラスウェブを処理するための新たな方法および装置が必要である。
【課題を解決するための手段】
【０００５】
本開示は、極薄ガラスウェブを（特定の幅および長さの）各セグメントまたは区分に分離し、さらに、ガラスウェブのより望ましい中心部分またはゾーンから分離された、任意のビード縁部（および関連するゾーン）などのガラスウェブの不用部分の処理を管理するものに関する。実際には、顧客に引き渡される最終のパーツは、粒子、縁部の欠陥、および／または縁部角部の欠陥が最小限に抑えられた、非常に優れた縁部を呈するものでなければならないことが多い。ガラスウェブの中心部分がいくつかの区分に切断される前または切断された後に、ガラスウェブから第１および第２のビード縁部（およびゾーン）を除去する切断技術を採用することができる。
【０００６】
ガラスウェブの前述の処理は、上流または下流のプロセスに影響を与えるべきではなく、これは特に極薄ガラスウェブが処理されている場合、単純な問題ではない。（ｉ）プロセス中の高いガラス利用率、（ｉｉ）連続的運搬プロセスの効率的な使用（すなわち、複数通過の排除）、および（ｉｉｉ）様々な長さの区分を生成する能力など、いくつかの望ましい機能を同時に達成することは困難である。実際には、上記機能を満たすと製造コストの減少をもたらすことになるが、こういった機能を達成するのに必要な技術は、実際には従来のシステムでは利用できない。
【０００７】
本書における１以上の実施形態によれば、所望の長さの各セグメントまたは区分へのガラスウェブの幅を横切る分離、および不用のガラス（例えばビード縁部）の回収を、連続的な運搬プロセスで達成することができる、新たな方法および装置が開発された。極薄ガラスウェブは、その高い弾性率、切欠き感受性、および脆弱性といった特性のために、幅を横切る分離が行われるゾーンの近くでは、適切な縁部特性（すなわち、傷を低減する最小限の強度を有するもの）を示すべく、非常に一貫性のある対称的な応力・ひずみ場である必要がある。従って、ガラスウェブを複数のセグメントに分離するためには、連続的な運搬および支持系が、一貫した対称的な応力場およびひずみ場を分離エリアにおいて提供しなければならない。本書における１以上の実施形態によれば、分離時に一貫した対称的な応力・ひずみ場を得るために、運搬および分離機構は注意深くかつ独立して制御され、これにより縁部表面の粒子の量が最小源である非常に優れた縁部がもたらされ、縁部および／または縁部角部の欠陥を最小限に抑える。
【０００８】
本書における１以上の実施形態の利点および利益には、以下のいずれかが含まれる。
【０００９】
（ｉ）搬送および切断中のガラスウェブの振動を減衰させる。独特な罫書きプロセスの特性のために、減少した曲げ応力量を採用してガラスウェブを各区分へと分離させることができ、これにより振動および全体のプロセス異常が低減される。
【００１０】
（ｉｉ）プロセス隔離技術を用いて、システム異常の低減および信頼性向上が得られる。上流および下流ローラを採用して、前述の罫書き傷の伝播（亀裂伝播）の隔離と高度に制御された伝播、並びに上流プロセスからの振動の隔離を達成することができる。
【００１１】
（ｉｉｉ）ガラスウェブの厚さのばらつきが大きいことが許容され得る。例えば１つのプロセス設定を採用して、３５０μｍ（マイクロメートルまたはミクロン、本書では簡単のために単にμｍと称する）から１００μｍまでのガラスウェブに対し、罫書きおよび曲げ／セグメント分離を行うことができる。
【００１２】
（ｉｖ）罫書き経路調整、罫書きヘッド圧力調整、および罫書き周波数調整など、多くのプロセスパラメータの調整がプロセス調整により可能になり、高品質で、粒子、縁部および／または縁部角部の欠陥が最小限に抑えられた、非常に優れた縁部をもたらす。
【００１３】
１以上の実施形態によれば方法および装置が、（ａ）長さと、長さを横切る幅と、厚さとを有するガラスウェブを供給し、（ｂ）ガラスウェブに、複数の分離した罫書きセグメントを有する罫書き線を生成するようにガラスウェブの幅の方向に罫書きし、それにより罫書き線とガラスウェブの先端縁部との間にガラスウェブの区分を画成し、（ｃ）ガラスウェブを供給源から目標地点に向かって、ガラスウェブの長さに平行な運搬方向に、曲げゾーンまで搬送し、（ｄ）ガラスウェブが搬送されるにつれてガラスウェブの区分の増加部分がカンチレバー状になりかつガラスウェブの区分のその部分が重力下で垂下することが許容されるように、ガラスウェブを支持し、さらに、ガラスウェブの区分のその部分が十分に大きくなって各罫書きセグメントに応力を生じさせかつ夫々の亀裂がガラスウェブの厚さを貫通するようにさせるよう、搬送を継続し、（ｅ）ガラスウェブのその区分を、ガラスウェブから罫書き線に沿って分離させ、さらに（ｆ）（ａ）から（ｅ）を繰り返して、ガラスウェブの複数の区分を生成するものを提供する。
【００１４】
他の態様、特徴、および利点は、添付の図面と併せて本書の説明から当業者には明らかであろう。
【００１５】
説明のために現在の好適な形態を図面に示すが、本書で開示および説明される実施形態は、図示の正確な配置および手段に限定されないことを理解されたい。
【図面の簡単な説明】
【００１６】
【図１Ａ】ガラスウェブを各区分に分離するための第１の技術を示したガラスウェブの上面概略図
【図１Ｂ】ガラスウェブを各区分に分離するための第２の技術を示したガラスウェブの上面概略図
【図１Ｃ】ガラスウェブを各区分に分離するための第３の技術を示したガラスウェブの上面概略図
【図２Ａ】罫書きしてガラスウェブを各区分に分離するための装置の側面概略図
【図２Ｂ】罫書きしてガラスウェブを各区分に分離するための装置の側面概略図
【図３】ガラスウェブを横切る罫書き線全体の１つのセグメントを装置の罫書きヘッドが生成する際に取り得る経路を示した図
【図４Ａ】全体構造をより詳細に示した、図２Ａ〜２Ｂの装置の側面概略図
【図４Ｂ】全体構造をより詳細に示した、図２Ａ〜２Ｂの装置の側面概略図
【図５Ａ】全体構造をより詳細に示した、図２Ａ〜２Ｂの装置の上面概略図
【図５Ｂ】全体構造をより詳細に示した、図２Ａ〜２Ｂの装置の上面概略図
【発明を実施するための形態】
【００１７】
図面を参照すると、図１Ａ、１Ｂ、および１Ｃには、ガラスウェブ１０を各セグメントまたは区分へと分離するためのいくつかの技術を示したガラスウェブ１０の上面概略図が示されている。図面では、同様の要素を同じ番号で示す。議論のために、ガラスウェブは比較的薄いものであり、また場合によっては極薄いものであると仮定する。例えばガラスウェブ１０の厚さは、（ｉ）約５０μｍ以上、（ｉｉ）約１００μｍから約５００μｍ、（ｉｉｉ）約１００μｍから約３５０μｍ、（ｉｖ）約１００μｍ、および（ｖ）約５０μｍから約１００μｍ、のうちの１つとすることができる。
【００１８】
例として、議論のためにガラスウェブ１０は、対の対向する縁部部分１２、１４（ビード縁部、肉厚化縁部、またはそれ以外の望ましくない縁部を含み得るものであり、いくらかの幅の材料、またはこれに隣接する関連するゾーンの材料を含み得る）と、対向する縁部部分１２、１４間に広がる中心部分（またはゾーン）１６とを有していると仮定する。ガラスウェブ１０は広範な供給源を用いて提供することができるが、この供給源の１つはダウンドローガラス成形装置（図示なし）である。フュージョンダウンドロープロセスでは成形ウェッジを備えたトラフを含み、この成形ウェッジにより、溶融ガラスがトラフから溢れ出て成形ウェッジの両面を流れ落ちると、各流れは続いて成形ウェッジから延伸されるときに融合することができる。このフュージョンダウンドロープロセスでは、ガラスウェブ１０を生成することができる。しかしながら、このようなダウンドローフュージョンプロセスにおいてガラスウェブ１０の縁部部分１２、１４は、ガラスウェブ１０の中心部分１６の厚さを典型的には上回る厚さの対応するビードが形成されるようにして、生成される。ガラスウェブを形成する他の供給源としては、例えばスロットドロー、アップドロー、圧延、およびフロートによる、成形プロセスを挙げることができる。
【００１９】
さらに、または代わりに、ガラスウェブ１０が巻かれたスプール（図示なし）からこれを供給してもよく、この場合ガラスウェブ１０は、（フュージョンダウンドロープロセスまたは任意の他の適切な方法を用いて達成されたものとすることができる）その製造後に、最初にスプールに巻回される。巻かれたスプールが採用される場合、ガラスウェブ１０の特性に適応するべく与えられる曲げ応力が比較的低いものとなるよう、この巻回物は典型的には比較的大きい直径を有することになる。一旦巻かれると、この巻かれたスプールからガラスウェブ１０を解いて、プロセスへと取り込むことができる。
【００２０】
本書における議論に関し、ガラスウェブは図１Ａ、１Ｂ、１Ｃの左側から供給されて、右側の目標地点ゾーン（図示なし）に向かって移送または搬送されると仮定する。目標地点ゾーンは、以下でより詳細に論じるが、ガラスウェブ１０の各区分を積み重ねるための、および／またはガラスウェブ１０の中心ゾーン１６を巻き取るための、任意の適切な機構を含み得る。
【００２１】
図１Ａを特に参照すると、図示の技術は、第１および第２の側縁部（および関連する側部ゾーン）１２、１４と、それらの間に配置された中心ゾーン１６とを有し、特に側縁部１２、１４がガラスウェブ１０の中心部分１６から分離されていないガラスウェブ１０に関わるものである。この状況において区分１０−１、１０−２、１０−３等は、各区分１０−ｉが（ｉ）第１の側縁部１２および関連する側部ゾーンの区分と、（ｉｉ）第２の側縁部１４および関連する側部ゾーンの区分と、（ｉｉｉ）これらの間の中心ゾーン１６の区分とを有する一体的な区分になるように、ガラスウェブ１０から分離される。下流のプロセスを次いで採用して、第１および第２の側縁部の区分１２−ｉ、１４−ｉの各対を各中心部分１６−ｉから切断し、それによりガラスウェブ１０の所望のセグメント１６−ｉを生成するなど、各区分１０−ｉをさらに処理してもよい。
【００２２】
図１Ｂを特に参照すると、図示の技術は、上流プロセス（図示なし）で側縁部１２、１４（および関連する側部ゾーン）がガラスウェブ１０の中心部分１６から既に分離された、ガラスウェブ１０に関わるものである。この状況において区分１０−１、１０−２、１０−３等は、各区分１０−ｉが３つの分離した小区分、すなわち（ｉ）第１の側縁部１２および関連する側部ゾーンの、区分１２−ｉと、（ｉｉ）第２の側縁部１４および関連する側部ゾーンの、区分１４−ｉと、（ｉｉｉ）これらの間の中心ゾーン１６の区分１６−ｉとを有するように、ガラスウェブ１０から分離される。ガラスウェブ１０の所望セグメント１６−ｉは直接得られるため、第１および第２の側縁部の区分１２−ｉ、１４−ｉの各対を各区分１０−ｉから除去する下流プロセスは必要ない。さらに、第１および第２の側縁部の区分１２−ｉ、１４−ｉを再溶融プロセス（図示なし）に導くと同時に、中心区域１６−ｉを下流プロセスおよび最終的な製品構成へと導いてもよい。
【００２３】
図１Ｃを特に参照すると、図示の技術は、側縁部１２、１４（および関連する側部ゾーン）がガラスウェブ１０の中心部分１６から既に分離された、ガラスウェブ１０にさらに関わるものである。この状況において、各区分はガラスウェブ１０から分離されるが、各区分１０−ｉは２つの分離した小区分のみ、すなわち（ｉ）第１の側縁部１２および関連する側部ゾーンの、区分１２−ｉと、（ｉｉ）第２の側縁部１４および関連する側部ゾーンの、区分１４−ｉとを含む。特に、ウェブ１０の中心区分１６からはセグメントが取られずに、中心区分１６は目標地点ゾーンにおいて巻き取られ、および／または他の下流の処理を受ける。第１および第２の側縁部の区分１２−ｉ、１４−ｉを、再溶融プロセス（図示なし）に導いてもよい。
【００２４】
ここで、ガラスウェブ１０に罫書きして各区分へと分離する装置１００の側面概略図である、図２Ａおよび２Ｂを参照する。
【００２５】
装置１００は、ガラスウェブ１０を供給源機構から目標地点ゾーンに向かって、ガラスウェブ１０の長さに平行に運搬方向（矢印２０で示す）に搬送するように構成された、運搬機構（明瞭にするために省略する）を備えている。運搬機構はいくつかの個々の要素を備えていてもよく、これらの要素が協働して、好適にはガラスウェブ１０および／または各セグメント、特に中心セグメント１６−ｉの望ましい特性を低下させることなく、ガラスウェブ１０を供給源から目標地点へと連続的に移動させる。
【００２６】
例えば運搬機構は、任意の数の非接触式支持部材、接触式支持部材、ローラ等を備えて、ガラスウェブ１０、および／またはセグメント１２−ｉ、１４−ｉ、および／または１６−ｉを、供給源から目標地点へとシステムに通して誘導することができる。非接触支持部材は、ガラスウェブ１０および／またはセグメント１２−ｉ、１４−ｉ、１６−ｉが損傷または汚染を受けることなくシステムを通って適切に確実に搬送されるよう、各ワークピースの望ましい方向性の搬送を達成するべく平坦なおよび／または湾曲した、例えば流体バー、低摩擦表面などでもよい。流体バーは、この非接触支持のためのエアクッションを生み出すために、ガラスウェブ１０および／またはセグメント１２−ｉ、１４−ｉ、１６−ｉの関連する表面に、正の流圧の流れ（空気など）を提供するように構成された複数の通路およびポート、および／または負の流圧の流れを提供するように構成された複数の通路およびポートを含むものでもよい。正および負の流圧の流れの組合せ、および／またはローラによって、ガラスウェブ１０をシステムに通して運搬する際に安定させることができる。
【００２７】
随意的には、いくつかの横方向ガイド（図示なし）をガラスウェブ１０の縁部部分１２、１４の近くに採用して、ガラスウェブ１０を運搬方向２０に対し所望の横方向位置に配向させるのを助けることができる。例えば横方向ガイドは、ガラスウェブ１０の対向する縁部部分１２、１４の対応する一方に係合するように構成された、ローラを用いて実装され得る。対応する横方向ガイドによって縁部部分１２、１４に加えられる対応する力で、ガラスウェブ１０が装置を通って搬送されるときにガラスウェブ１０を適切な横方向の配向にシフトおよび位置合わせすることができる。
【００２８】
図２Ａおよび２Ｂに示されているように装置１００は、ガラスウェブ１０に、複数の分離した罫書きセグメントを有する罫書き線１０４を生成するようにガラスウェブの幅の方向に罫書きし、それにより罫書き線とガラスウェブ１０の先端縁部１８との間にガラスウェブ１０の区分１０−ｉを画成するように構成された、罫書き機構１０２を含む。特に、罫書き線１０４はガラスウェブ１０を横切る連続したラインではなく、比較的短い複数のセグメントである。例えば罫書き機構１０２は、罫書き線の１以上の罫書きセグメントの長さが（ｉ）約１から約３０インチ（２．５から７５ｃｍ）、（ｉｉ）約２から約２０インチ（５から５０ｃｍ）、（ｉｉｉ）約３から約１０インチ（７．５から２５ｃｍ）、および（ｉｖ）約４〜８インチ（１０から２０ｃｍ）、のうちの１つになるように構成され得る。さらにおよび／または代わりに、罫書き機構１０２は、罫書き線の各罫書きセグメント間の１以上の間隔の長さが（ｉ）約１から約３０インチ（２．５から７５ｃｍ）、（ｉｉ）約２から約２０インチ（５から５０ｃｍ）、（ｉｉｉ）約３から約１０インチ（７．５から２５ｃｍ）、および（ｉｖ）約４〜８インチ（１０から２０ｃｍ）、のうちの１つになるように構成され得る。分離している罫書きセグメントは、部分１２、１４、１６のいずれか１つ以上に位置し得る。例えば罫書き線は、部分１２に１以上の罫書きセグメントを含み、および／または部分１４に１以上の罫書きセグメントを含み、および／または部分１６に１以上の罫書きセグメントを含むものでもよい。
【００２９】
好適な実施形態において、罫書き機構１０２は（図２Ａに概略的に矢印２２で図示されている）搬送手段または機構を含む。運搬機構がガラスウェブ１０を運搬方向２０に搬送しているときにガラスウェブ１０に幅を横切る方向（運搬方向を横切る、例えば図２Ａの紙面の平面に垂直な方向）に罫書きし、かつガラスウェブ１０の搬送と同時に罫書き線１０４を生成するように、罫書き機構１０２が動作するよう、搬送手段または機構は、ガラスウェブ１０が搬送されている速度と実質的に同じ速度で罫書き機構１０２を運搬方向２０に移動させるように構成されている。
【００３０】
ここで、ガラスウェブ１０を横切る罫書き線１０４全体の１つのセグメント１０４−１を罫書き機構１０２の罫書きヘッド１０６が生成する際に取り得る経路１０８を示した、図３を参照する。経路１０８は、ガラスウェブ１０の中心位置、または中心位置付近から始まって、ガラスウェブ１０の側縁部に向かう（すなわちガラスウェブ１０の運搬方向２０を横切る）方向（矢印によって図示）に移動するものでもよい。従って図３を見ている方向は、ガラスウェブ１０の先端縁部１８へと向いている。図示のように、経路１０８は以下のように画成することができる。すなわち罫書きヘッド１０６は、（ｉ）ガラスウェブ１０上方の比較的上昇した高さに位置する、開始位置１０８−１を起点とし、（ｉｉ）次いでガラスウェブ１０上方の中間位置１０８−２まで下降し、（ｉｉｉ）さらにガラスウェブ１０の上部表面に向かってこの表面の中へ、最大深さ位置１０８−３まで横滑りし、（ｉｖ）次にガラスウェブ１０の上部表面から離れて外に出る逆の方向へ、別の中間位置１０８−４まで横滑りし、さらに（ｖ）その後、開始位置１０８−５まで再び上昇してもよい。
【００３１】
経路１０８の特定のパラメータは、ユーザがプロセスに対し同調調整できるよう、調整可能であることが好ましい。例えば横滑りのパラメータは、罫書きヘッド１０６の下降／上昇速度、および幅を横切る方向における罫書きヘッド１０６の移動速度によって特徴付けることができる。当業者は、これらの速度の一方または両方の調整を可能にするように罫書き機構１０２を設計することができることを理解するであろう。例として、幅を横切る方向における罫書きヘッド１０６の移動速度は、ガラスウェブ１０の運搬速度に略等しい速度から、この速度の１０または２０倍までの範囲でもよい。図示の例において、経路１０８の横滑りのパラメータは、位置１０８−３に向かってガラスウェブ１０の中へと約４°下がり、位置１０８−３から位置１０８−４までガラスウェブ１０から外に、より急に上昇するように描いている。罫書きヘッド１０６の深さのパラメータは、罫書き線１０４の１以上の罫書きセグメントの深さが、（ｉ）約２から約２０μｍ、（ｉｉ）約５から約１５μｍ、（ｉｉｉ）約１０μｍ、および（ｉｖ）ガラスウェブ１０の厚さの約２から約４０％、のうちの１つになるようなものでもよい。この場合も当業者は、この罫書きの深さの調整を可能にするように罫書き機構１０２を設計することができることを理解するであろう。
【００３２】
罫書き線１０４の複数の罫書きセグメントを生成するために、罫書きヘッドの上記経路１０８を繰り返し実行することが好ましい。罫書きセグメントの数および／またはピッチは、前述の罫書きヘッド１０６の下降／上昇速度、および幅を横切る方向における罫書きヘッド１０６の移動速度を調整することによって調整することができる。
【００３３】
上記のように装置１００は、図１Ａ、１Ｂ、および／または１Ｃに示されている種々の技術に従って、セグメント１２−ｉ、１４−ｉ、および／または１６−ｉを生成することができる。従って、セグメント１０−ｉが区分１２−ｉと、区分１４−ｉと、これらの間の区分１６−ｉとを有する一体的な区分になる場合、罫書き機構１０２はガラスウェブ１０の３つの区分の全てに、セグメント化された罫書き線１０４を生成することが好ましい。あるいはセグメント１０−ｉが、小区分１２−ｉと、小区分１４−ｉと、小区分１６−ｉとを有する３つの分離した小区分になる場合、罫書き機構１０２はガラスウェブ１０のこの各小区分に、セグメント化された（および別個の）罫書き線１０４を生成することがさらに好ましい。あるいは、セグメント１０−ｉが小区分１２−ｉおよび小区分１４−ｉを有する（が、小区分１６−ｉを有していない）２つの分離した小区分になる場合、罫書き機構１０２はガラスウェブ１０のこの小区分１２−ｉおよび１４−ｉの夫々に、セグメント化された（および別個の）罫書き線１０４を生成するのみであり、ガラスウェブ１０の中心区分１６には罫書きしない。
【００３４】
この場合も、図２Ａに示されているように、運搬機構はガラスウェブ１０を目標地点に向かって運搬方向２０に曲げゾーンまで搬送する。特に図２Ｂに示されているように、装置１００は、ガラスウェブ１０が搬送されるにつれてガラスウェブ１０の増加部分がカンチレバー状になるようにガラスウェブ１０を支持するように構成された、支持機構１２０を備えている。例えば支持機構はローラ１２２（または他の細長い支持体）含むものでもよく、このローラ１２２によってガラスウェブ１０の先端縁部１８はローラ１２２を過ぎて延在することができ、それによりガラスウェブ１０の区分１０−ｉのカンチレバー部分が画成される。運搬機構によってガラスウェブ１０を搬送することで、カンチレバー状になる、常に増加している区分１０−ｉの部分が生み出される。ガラスウェブ１０の区分１０−ｉのカンチレバー部分は、重力の影響を受けて垂下することができる。ガラスウェブ１０の区分１０−ｉの部分が十分に大きくなるようにガラスウェブ１０を搬送し続けると、最終的に罫書き線１０４の各罫書きセグメントに十分な応力が生じて、夫々の亀裂がガラスウェブ１０の厚さを貫通するようにさせる。亀裂がガラスの厚さを貫通するようにさせるカンチレバーの量は、（ガラス厚さ、ガラス密度、その部分の幅、およびカンチレバーの長さに基づく）カンチレバー部分の質量と、その特定のガラス組成物を通って伝播する亀裂の傾向次第である。従って罫書き線１０４を作製するタイミング（従って罫書き線１０４間の距離）は、処理される特定のガラスの厚さに罫書きを貫通させるような、適切なカンチレバー部分を提供するように決定され得る。
【００３５】
装置１００は、ガラスウェブ１０から、罫書き線１０４に沿ったガラスウェブ１０のこの区分１０−ｉの分離を可能にするように構成された、分離ゾーン１３０をさらに含む。コントローラ（コンピュータで実施するものでもよい）を採用し、供給、罫書き、搬送、支持、および分離を繰り返してガラスウェブ１０の複数の区分１０−ｉを生成するように、運搬機構と罫書き機構１０２とを電子的に相互作用させてもよい。
【００３６】
随意的に装置１００、特に運搬機構は、縁部品質に対して曲げおよび分離が与え得る影響をいくらか軽減する、構成要素を採用し得る。特に、この曲げが亀裂を（ガラスウェブ１０を横断する、幅を横切る方向ではなく）運搬方向２０に伝播させがちになる可能性がある限り、隔離ローラ系を採用してもよい。特にローラ１４２を罫書きヘッド１０６の上流に置いてもよく、また亀裂のために代わりの応力経路を提供するために、ローラ１４４を罫書きヘッド１０６の下流に設置してもよい。さらに隔離ローラ１４２、１４４を使用して、振動がガラスウェブ１０の上流に移動するのを軽減することができる。
【００３７】
図４Ａおよび４Ｂは、全体構造をより詳細に示した、図２Ａ〜２Ｂの装置１００の側面概略図である。特に図４Ａが示している装置１００は、ガラスウェブ１０（図示なし）を運搬方向２０に搬送するように動作する、運搬機構１０１を備えている。罫書き機構１０２、支持機構１２０（例えばローラ１２２）、および分離ゾーン１３０は、図４Ｂに拡大した形で示されている。特に、当業者には明らかであろうが、罫書き機構１０２（特に罫書きヘッド１０６）を上下および横方向へと移動するための構造が図示されている。さらに各隔離ローラ１４２、１４４は、ガラスウェブ１０、またはガラスウェブ１０の幅を横切る所望部分に、これを近付けるまたは接触させることにより、前述の機能を達成するのに必要になり得るような上／下運動が可能であるように（矢印２６で示されているように）図示されている。図５Ａおよび５Ｂは、図４Ａの装置の全体構造をさらに詳細に示した上面概略図である。図４Ｂの拡大部分に示されているように、罫書きヘッド１０６を上下および横方向へと移動するための構造に関係するさらなる詳細が示されている。
【００３８】
さらに、罫書き機構が少なくとも３つの罫書き機構１０２−１、１０２−２、および１０２−３を備えている、好適な実施形態が図５Ｂに示されている。例えば第１の罫書き機構１０２−１は、（図１Ａの構成において使用され得るような）ガラスウェブ１０の中心区分１６の範囲内からガラスウェブ１０の第１の側縁部１２に向かって延在する、セグメント化された罫書き線１０４の部分を生成するように動作し得る。あるいは図１Ｂのように第１の側縁部１２（および関連するゾーン）が既に中心区分１６から分離されている場合には、第１の罫書き機構１０２−１は、ガラスウェブ１０の第１の側縁部１２の部分に亘って延在するセグメント化された罫書き線１０４の部分を生成するように動作し得る。同様に第３の罫書き機構１０２−３は、（図１Ａの構成において採用され得るような）ガラスウェブ１０の中心区分１６の範囲内からガラスウェブ１０の第２の側縁部１４に向かって延在する、セグメント化された罫書き線１０４の部分を生成するように動作し得る。あるいは図１Ｂのように第２の側縁部１４（および関連するゾーン）が既に中心区分１６から分離されている場合には、第３の罫書き機構１０２−３は、ガラスウェブ１０の第２の側縁部１４の部分に亘って延在するセグメント化された罫書き線１０４の部分を生成するように動作し得る。最後に第２の罫書き機構１０２−２は、ガラスウェブ１０の中心区分１６に亘って延在するセグメント化された罫書き線１０４の部分を生成するように動作し得る。好適な実施形態において第２の罫書き機構１０２−２は、中心区分１６の中心部分で罫書き線１０４を開始し、ここから側縁部１２、１４に向かって外側へと同時に移動する、対の罫書きヘッド１０６を含み得る。
【００３９】
本書の本開示を、特定の実施形態を参照して説明してきたが、これらの実施形態は本書における実施形態の原理および用途の単なる実例となるものであることを理解されたい。従って、この実例となる実施形態の多くの改変を作製することができ、また本出願の精神および範囲から逸脱することなく他の配置が考案され得ることを理解されたい。
【００４０】
例えば、振動を弱めるためにローラの代わりにコンベアベルトを使用してもよい。コンベアベルトを使用すると、流体バーまたは他の非接触搬送機構の代わりにガラスを支持し、さらなる振動の抑制を促進することができる。
【００４１】
さらなる例として、図２Ｂの部分１０−ｉは、部分１６−ｉと同じ水平高度のガラスウェブ１０から分離されているように示されているが、これは特定の実施形態では必要ない。代わりに部分１０−ｉ（１２−ｉ、１４−ｉ）を、罫書きおよび部分１０からの分離の前に、より低い水平高度へと曲げてもよい（または、より高い水平高度に上昇させてもよい）。すなわち図１Ｃの部分１２および／または部分１４を、これに罫書き線１０４を形成する前に、部分１６よりも低い高度へと下げてもよい。従って、部分１２−１から１２−３および／または部分１４−１から１４−３は、分離される。
【００４２】
上述した種々の特徴は、例えば以下の態様に従って、任意の組合せで組み合わせてもよいし、また全て組み合わせてもよい。
【００４３】
第１の態様によれば、長さと、長さを横切る幅と、厚さとを有するガラスウェブを分離する方法が提供され、この方法は、
（ａ）ガラスウェブに、複数の分離した罫書きセグメントを有する罫書き線を生成するようにガラスウェブの幅の方向に罫書きするステップであって、それにより罫書き線とガラスウェブの先端縁部との間にガラスウェブの区分を画成する、ステップ、
（ｂ）罫書きするステップからガラスウェブを、目標地点に向かってガラスウェブの長さに平行な運搬方向に、曲げゾーンまで搬送するステップ、
（ｃ）ガラスウェブが搬送されるにつれてガラスウェブの区分の増加部分がカンチレバー状になりかつガラスウェブの区分のその部分が重力下で垂下することが許容されるように、ガラスウェブを曲げゾーンで支持し、さらに、ガラスウェブの区分のその部分が十分に大きくなって各罫書きセグメントに応力を生じさせかつ夫々の亀裂がガラスウェブの厚さを貫通するようにさせるよう、搬送を継続するステップ、
（ｄ）ガラスウェブのその区分を、ガラスウェブから罫書き線に沿って分離させるステップ、および、
（ｅ）（ａ）から（ｄ）のステップを繰り返して、ガラスウェブの複数の区分を生成するステップ、
を含む。
【００４４】
第２の態様によれば、
ガラスウェブを搬送するステップが、ガラスウェブを連続的に搬送するステップを含み、さらに、
ガラスウェブに罫書きするステップが、ガラスウェブの搬送と同時に罫書き線を生成するステップを含む、態様１の方法が提供される。
【００４５】
第３の態様によれば、
罫書き線の１以上の罫書きセグメントの長さが、（ｉ）約２．５から約７５ｃｍ（約１から約３０インチ）、（ｉｉ）５から５０ｃｍ（約２から約２０インチ）、（ｉｉｉ）約７．５から約２５ｃｍ（約３から約１０インチ）、および（ｉｖ）約１０から約２０ｃｍ（約４〜８インチ）、のうちの１つである、および、
罫書き線の各罫書きセグメント間の１以上の間隔の長さが、（ｉ）約２．５から約７５ｃｍ（約１から約３０インチ）、（ｉｉ）約５から約５０ｃｍ（約２から約２０インチ）、（ｉｉｉ）約７．５から約２５ｃｍ（約３から約１０インチ）、および（ｉｖ）約１０から約２０ｃｍ（約４〜８インチ）、のうちの１つである、
のうちの少なくとも一方である、態様１または態様２の方法が提供される。
【００４６】
第４の態様によれば、罫書き線の１以上の罫書きセグメントの深さが、（ｉ）約２から約２０μｍ、（ｉｉ）約５から約１５μｍ、（ｉｉｉ）約１０μｍ、および（ｉｖ）ガラスウェブの厚さの約２から約４０％、のうちの１つである、態様１から３のいずれか１つの方法が提供される。
【００４７】
第５の態様によれば、ガラスウェブの厚さが、（ｉ）約５０μｍ以上、（ｉｉ）約１００μｍから約５００μｍ、（ｉｉｉ）約１００μｍから約３５０μｍ、（ｉｖ）約１００μｍ、および（ｖ）約５０μｍから約１００μｍ、のうちの１つである、態様１から４のいずれか１つの方法が提供される。
【００４８】
第６の態様によれば、ガラスウェブがフュージョン成形されたガラスウェブである、態様１から５のいずれか１つの方法が提供される。
【００４９】
第７の態様によれば、ガラスウェブが、
ガラスウェブの１つの縁部に沿った、第１の望ましくない側縁部および関連する側部ゾーン、
ガラスウェブの反対側の縁部に沿った、第２の望ましくない側縁部および関連する側部ゾーン、および、
第１の望ましくない側縁部および関連する側部ゾーンと、第２の望ましくない側縁部および関連する側部ゾーンとのうちの、少なくとも一方に隣接して配置された、中心ゾーン、
のうちの少なくとも１つを含む、態様１から６のいずれか１つの方法が提供される。
【００５０】
第８の態様によれば、
ガラスウェブが、第１の望ましくない側縁部および関連する側部ゾーン、第２の望ましくない側縁部および関連する側部ゾーン、および第１の望ましくない側縁部と第２の望ましくない側縁部との間に配置された中心ゾーン、を含み、
罫書き線とガラスウェブの先端縁部との間のガラスウェブの区分が（ｉ）第１の望ましくない側縁部および関連する側部ゾーンの区分と、（ｉｉ）第２の望ましくない側縁部および関連する側部ゾーンの区分と、（ｉｉｉ）これらの間の中心ゾーンの区分とを有する一体的な区分になるように、罫書きするステップが、第１の望ましくない側縁部および関連する側部ゾーンと、第２の望ましくない側縁部および関連する側部ゾーンと、中心ゾーンとの夫々に罫書きするステップを含み、さらに、
ガラスウェブのその区分をガラスウェブから罫書き線に沿って分離させるステップが、ガラスウェブからのこの一体的な区分の分離をもたらすものである、態様７の方法が提供される。
【００５１】
第９の態様によれば、
罫書きするステップの前に、第１の望ましくない側縁部および関連する側部ゾーンと第２の望ましくない側縁部および関連する側部ゾーンの夫々を、ガラスウェブの中心ゾーンから分離するステップをさらに含み、
罫書き線とガラスウェブの先端縁部との間のガラスウェブの区分が（ｉ）第１の望ましくない側縁部および関連する側部ゾーンの小区分と、（ｉｉ）第２の望ましくない側縁部および関連する側部ゾーンの小区分と、（ｉｉｉ）中心ゾーンの小区分とを含む分離した３つの小区分を有するように、罫書きするステップが、第１の望ましくない側縁部および関連する側部ゾーンと、第２の望ましくない側縁部および関連する側部ゾーンと、中心ゾーンとの夫々に罫書きするステップを含み、
ガラスウェブを搬送するステップが、ガラスウェブの分離したこの３つの小区分の全てを同時に曲げゾーンまで搬送するステップを含み、さらに、
ガラスウェブのこの３つの小区分をガラスウェブから罫書き線に沿って分離させるステップが、ガラスウェブからの、この分離した３つの小区分の分離をもたらすものである、態様７の方法が提供される。
【００５２】
第１０の態様によれば、
罫書きするステップの前に、第１の望ましくない側縁部および関連する側部ゾーンと第２の望ましくない側縁部および関連する側部ゾーンの夫々を、ガラスウェブの中心ゾーンから分離するステップをさらに含み、
罫書き線とガラスウェブの先端縁部との間のガラスウェブの区分が（ｉ）第１の望ましくない側縁部および関連する側部ゾーンの小区分と、（ｉｉ）第２の望ましくない側縁部および関連する側部ゾーンの小区分とを含み、かつ（ｉｉｉ）中心ゾーンの小区分を含まない、分離した２つの小区分を有するように、罫書きするステップが、第１の望ましくない側縁部および関連する側部ゾーンと第２の望ましくない側縁部および関連する側部ゾーンとの夫々に罫書きし、中心ゾーンには罫書きしないステップを含み、
ガラスウェブを搬送するステップが、ガラスウェブのこの分離した２つの小区分および中心ゾーンを、同時に曲げゾーンまで搬送するステップを含み、さらに、
分離させるステップが、その２つの小区分のみをガラスウェブから罫書き線に沿って分離させて、中心ゾーンの連続したシートをガラスウェブに接続されたまま残すステップを含む、態様７の方法が提供される。
【００５３】
第１１の態様によれば、長さと、長さを横切る幅と、厚さとを有するガラスウェブを処理する装置が提供され、この装置は、
ガラスウェブをガラスウェブ供給源から目標地点に向かって、ガラスウェブの長さに平行な運搬方向に搬送するように構成された、運搬機構、
ガラスウェブに、複数の分離した罫書きセグメントを有する罫書き線を生成するようにガラスウェブの幅の方向に罫書きし、それにより罫書き線とガラスウェブの先端縁部との間にガラスウェブの区分を画成するように構成された、罫書き機構、
ガラスウェブが運搬機構で搬送されるにつれてガラスウェブの区分の増加部分がカンチレバー状になりかつガラスウェブの区分のその部分が重力下で垂下することが許容されるように、ガラスウェブを曲げゾーンで支持し、さらに、ガラスウェブの区分のその部分が十分に大きくなって各罫書きセグメントに応力を生じさせかつ夫々の亀裂がガラスウェブの厚さを貫通するようにさせるよう、搬送を継続するように構成された、支持機構、
ガラスウェブから、罫書き線に沿ったガラスウェブのこの区分の分離を可能にするように構成された、分離ゾーン、および、
この搬送、罫書き、支持、および分離を繰り返して、ガラスウェブの複数の区分を生成するように構成された、コントローラ、
を含む。
【００５４】
第１２の態様によれば、
運搬機構が、ガラスウェブを連続的に搬送するように構成されており、かつ、
罫書き機構が、ガラスウェブに罫書きし、かつガラスウェブの搬送と同時に罫書き線を生成するように構成されている、態様１１の装置が提供される。
【００５５】
第１３の態様によれば、
罫書き線の１以上の罫書きセグメントの長さが、（ｉ）約２．５から約７５ｃｍ（約１から約３０インチ）、（ｉｉ）５から５０ｃｍ（約２から約２０インチ）、（ｉｉｉ）約７．５から約２５ｃｍ（約３から約１０インチ）、および（ｉｖ）約１０から約２０ｃｍ（約４〜８インチ）、のうちの１つである、および、
罫書き線の各罫書きセグメント間の１以上の間隔の長さが、（ｉ）約２．５から約７５ｃｍ（約１から約３０インチ）、（ｉｉ）約５から約５０ｃｍ（約２から約２０インチ）、（ｉｉｉ）約７．５から約２５ｃｍ（約３から約１０インチ）、および（ｉｖ）約１０から約２０ｃｍ（約４〜８インチ）、のうちの１つである、
のうちの少なくとも一方になるように、罫書き機構が構成されている、態様１１または態様１２の装置が提供される。
【００５６】
第１４の態様によれば、罫書き線の１以上の罫書きセグメントの深さが、（ｉ）約２から約２０μｍ、（ｉｉ）約５から約１５μｍ、（ｉｉｉ）約１０μｍ、および（ｉｖ）ガラスウェブの厚さの約２から約４０％、のうちの１つになるように罫書き機構が構成されている、態様１１から１３のいずれか１つの装置が提供される。
【００５７】
第１５の態様によれば、ガラスウェブの厚さが、（ｉ）約５０μｍ以上、（ｉｉ）約１００μｍから約５００μｍ、（ｉｉｉ）約１００μｍから約３５０μｍ、（ｉｖ）約１００μｍ、および（ｖ）約５０μｍから約１００μｍ、のうちの１つである、態様１１から１４のいずれか１つの装置が提供される。
【００５８】
第１６の態様によれば、ガラスウェブがフュージョン成形されたガラスウェブである、態様１１から１５のいずれか１つの装置が提供される。
【００５９】
第１７の態様によれば、ガラスウェブが、
ガラスウェブの１つの縁部に沿った、第１の望ましくない側縁部および関連する側部ゾーン、
ガラスウェブの反対側の縁部に沿った、第２の望ましくない側縁部および関連する側部ゾーン、および、
第１の望ましくない側縁部および関連する側部ゾーンと、第２の望ましくない側縁部および関連する側部ゾーンとのうちの、少なくとも一方に隣接して配置された、中心ゾーン、
のうちの少なくとも１つを含む、態様１１から１６のいずれか１つの装置が提供される。
【００６０】
第１８の態様によれば、
ガラスウェブが、第１の望ましくない側縁部および関連する側部ゾーン、第２の望ましくない側縁部および関連する側部ゾーン、および第１の望ましくない側縁部と第２の望ましくない側縁部との間に配置された中心ゾーン、を含み、
罫書き線とガラスウェブの先端縁部との間のガラスウェブの区分が（ｉ）第１の望ましくない側縁部および関連する側部ゾーンの区分と、（ｉｉ）第２の望ましくない側縁部および関連する側部ゾーンの区分と、（ｉｉｉ）これらの間の中心ゾーンの区分とを有する一体的な区分になるように、罫書き機構が、第１の望ましくない側縁部および関連する側部ゾーンと、第２の望ましくない側縁部および関連する側部ゾーンと、中心ゾーンとの夫々に罫書きするように構成されており、さらに、
ガラスウェブの区分の分離がガラスウェブからのこの一体的な区分の分離をもたらすように、分離ゾーンが構成されている、態様１７の装置が提供される。
【００６１】
第１９の態様によれば、
この装置が、罫書きの前に、第１の望ましくない側縁部および関連する側部ゾーンと第２の望ましくない側縁部および関連する側部ゾーンの夫々を、ガラスウェブの中心ゾーンから分離するように動作し、
罫書き線とガラスウェブの先端縁部との間のガラスウェブの区分が（ｉ）第１の望ましくない側縁部および関連する側部ゾーンの小区分と、（ｉｉ）第２の望ましくない側縁部および関連する側部ゾーンの小区分と、（ｉｉｉ）中心ゾーンの小区分とを含む分離した３つの小区分を有するように、罫書き機構が、第１の望ましくない側縁部および関連する側部ゾーンと、第２の望ましくない側縁部および関連する側部ゾーンと、中心ゾーンとの夫々に罫書きするように構成されており、
運搬機構が、ガラスウェブの分離したこの３つの小区分の全てを同時に曲げゾーンまで搬送するように構成されており、さらに、
ガラスウェブの区分の分離がガラスウェブからのこの分離した３つの小区分の分離をもたらすように、分離ゾーンが構成されている、態様１７の装置が提供される。
【００６２】
第２０の態様によれば、
この装置が、罫書きの前に、第１の望ましくない側縁部および関連する側部ゾーンと第２の望ましくない側縁部および関連する側部ゾーンの夫々を、ガラスウェブの中心ゾーンから分離するように動作し、
罫書き線とガラスウェブの先端縁部との間のガラスウェブの区分が（ｉ）第１の望ましくない側縁部および関連する側部ゾーンの小区分と、（ｉｉ）第２の望ましくない側縁部および関連する側部ゾーンの小区分とを含み、（ｉｉｉ）中心ゾーンの小区分を含まない、分離した２つの小区分を有するように、罫書き機構が、第１の望ましくない側縁部および関連する側部ゾーンと第２の望ましくない側縁部および関連する側部ゾーンとの夫々に罫書きし、中心ゾーンには罫書きしないように構成されており、
運搬機構が、ガラスウェブの分離したこの２つの小区分および中心ゾーンを、同時に曲げゾーンまで搬送するように構成されており、さらに、
ガラスウェブの区分の分離が、ガラスウェブからのこの２つの小区分のみの罫書き線に沿った分離をもたらして中心ゾーンの連続したシートをガラスウェブに接続されたまま残すものであるように、分離ゾーンが構成されている、態様１７の装置が提供される。
【００６３】
以下、本発明の好ましい実施形態を項分け記載する。
【００６４】
実施形態１
長さと、該長さを横切る幅と、厚さとを有するガラスウェブを分離する方法であって、
（ａ）前記ガラスウェブに、複数の分離した罫書きセグメントを有する罫書き線を生成するように前記ガラスウェブの幅の方向に罫書きするステップであって、それにより前記罫書き線と前記ガラスウェブの先端縁部との間に該ガラスウェブの区分を画成する、ステップ、
（ｂ）罫書きするステップから前記ガラスウェブを、目標地点に向かって前記ガラスウェブの長さに平行な運搬方向に、曲げゾーンまで搬送するステップ、
（ｃ）前記ガラスウェブが搬送されるにつれて該ガラスウェブの前記区分の増加部分がカンチレバー状になりかつ前記ガラスウェブの前記区分の前記部分が重力下で垂下することが許容されるように、前記ガラスウェブを前記曲げゾーンで支持し、さらに、前記ガラスウェブの前記区分の前記部分が十分に大きくなって前記各罫書きセグメントに応力を生じさせかつ夫々の亀裂が前記ガラスウェブの前記厚さを貫通するようにさせるよう、搬送を継続するステップ、
（ｄ）前記ガラスウェブの前記区分を、前記ガラスウェブから前記罫書き線に沿って分離させるステップ、および、
（ｅ）（ａ）から（ｄ）のステップを繰り返して、前記ガラスウェブの複数の区分を生成するステップ、
を含むことを特徴とする方法。
【００６５】
実施形態２
前記ガラスウェブを搬送するステップが、前記ガラスウェブを連続的に搬送するステップを含み、さらに、
前記ガラスウェブに罫書きするステップが、前記ガラスウェブの搬送と同時に前記罫書き線を生成するステップを含むことを特徴とする実施形態１記載の方法。
【００６６】
実施形態３
前記罫書き線の１以上の前記罫書きセグメントの長さが、（ｉ）約１から約３０インチ（２．５から７５ｃｍ）、（ｉｉ）約２から約２０インチ（５から５０ｃｍ）、（ｉｉｉ）約３から約１０インチ（７．５から２５ｃｍ）、および（ｉｖ）約４〜８インチ（１０から２０ｃｍ）、のうちの１つである、および、
前記罫書き線の前記各罫書きセグメント間の１以上の間隔の長さが、（ｉ）約１から約３０インチ（２．５から７５ｃｍ）、（ｉｉ）約２から約２０インチ（５から５０ｃｍ）、（ｉｉｉ）約３から約１０インチ（７．５から２５ｃｍ）、および（ｉｖ）約４〜８インチ（１０から２０ｃｍ）、のうちの１つである、
のうちの少なくとも一方である、実施形態１または２記載の方法。
【００６７】
実施形態４
前記罫書き線の１以上の前記罫書きセグメントの深さが、（ｉ）約２から約２０μｍ、（ｉｉ）約５から約１５μｍ、（ｉｉｉ）約１０μｍ、および（ｉｖ）前記ガラスウェブの前記厚さの約２から約４０％、のうちの１つである、実施形態１から３いずれか１項記載の方法。
【００６８】
実施形態５
前記ガラスウェブの前記厚さが、（ｉ）約５０μｍ以上、（ｉｉ）約１００μｍから約５００μｍ、（ｉｉｉ）約１００μｍから約３５０μｍ、（ｉｖ）約１００μｍ、および（ｖ）約５０μｍから約１００μｍ、のうちの１つである、実施形態１から４いずれか１項記載の方法。
【００６９】
実施形態６
前記ガラスウェブがフュージョン成形されたガラスウェブである、実施形態１から５いずれか１項記載の方法。
【００７０】
実施形態７
前記ガラスウェブが、
前記ガラスウェブの１つの縁部に沿った、第１の望ましくない側縁部および関連する側部ゾーン、
前記ガラスウェブの反対側の縁部に沿った、第２の望ましくない側縁部および関連する側部ゾーン、および、
前記第１の望ましくない側縁部および関連する側部ゾーンと、前記第２の望ましくない側縁部および関連する側部ゾーンとのうちの、少なくとも一方に隣接して配置された、中心ゾーン、
のうちの少なくとも１つを含む、実施形態１から６いずれか１項記載の方法。
【００７１】
実施形態８
前記ガラスウェブが、前記第１の望ましくない側縁部および関連する側部ゾーン、前記第２の望ましくない側縁部および関連する側部ゾーン、および前記第１の望ましくない側縁部と前記第２の望ましくない側縁部との間に配置された前記中心ゾーン、を含み、
前記罫書き線と前記ガラスウェブの前記先端縁部との間の前記ガラスウェブの前記区分が（ｉ）前記第１の望ましくない側縁部および関連する側部ゾーンの区分と、（ｉｉ）前記第２の望ましくない側縁部および関連する側部ゾーンの区分と、（ｉｉｉ）これらの間の前記中心ゾーンの区分とを有する一体的な区分になるように、前記罫書きするステップが、前記第１の望ましくない側縁部および関連する側部ゾーンと、前記第２の望ましくない側縁部および関連する側部ゾーンと、前記中心ゾーンとの夫々に罫書きするステップを含み、さらに、
前記ガラスウェブの前記区分を前記ガラスウェブから前記罫書き線に沿って分離させるステップが、前記ガラスウェブからの前記一体的な区分の分離をもたらすものである、実施形態７記載の方法。
【００７２】
実施形態９
前記罫書きするステップの前に、前記第１の望ましくない側縁部および関連する側部ゾーンと前記第２の望ましくない側縁部および関連する側部ゾーンの夫々を、前記ガラスウェブの前記中心ゾーンから分離するステップをさらに含み、
前記罫書き線と前記ガラスウェブの前記先端縁部との間の前記ガラスウェブの前記区分が（ｉ）前記第１の望ましくない側縁部および関連する側部ゾーンの小区分と、（ｉｉ）前記第２の望ましくない側縁部および関連する側部ゾーンの小区分と、（ｉｉｉ）前記中心ゾーンの小区分とを含む分離した３つの小区分を有するように、前記罫書きするステップが、前記第１の望ましくない側縁部および関連する側部ゾーンと、前記第２の望ましくない側縁部および関連する側部ゾーンと、前記中心ゾーンとの夫々に罫書きするステップを含み、
前記ガラスウェブを搬送するステップが、前記ガラスウェブの分離した前記３つの小区分の全てを同時に前記曲げゾーンまで搬送するステップを含み、さらに、
前記ガラスウェブの前記３つの小区分を前記ガラスウェブから前記罫書き線に沿って分離させるステップが、前記ガラスウェブからの、分離した前記３つの小区分の分離をもたらすものである、実施形態７記載の方法。
【００７３】
実施形態１０
前記罫書きするステップの前に、前記第１の望ましくない側縁部および関連する側部ゾーンと前記第２の望ましくない側縁部および関連する側部ゾーンの夫々を、前記ガラスウェブの前記中心ゾーンから分離するステップをさらに含み、
前記罫書き線と前記ガラスウェブの前記先端縁部との間の前記ガラスウェブの前記区分が（ｉ）前記第１の望ましくない側縁部および関連する側部ゾーンの小区分と、（ｉｉ）前記第２の望ましくない側縁部および関連する側部ゾーンの小区分とを含み、かつ（ｉｉｉ）前記中心ゾーンの小区分を含まない、分離した２つの小区分を有するように、前記罫書きするステップが、前記第１の望ましくない側縁部および関連する側部ゾーンと前記第２の望ましくない側縁部および関連する側部ゾーンとの夫々に罫書きし、前記中心ゾーンには罫書きしないステップを含み、
前記ガラスウェブを搬送するステップが、前記ガラスウェブの分離した前記２つの小区分および前記中心ゾーンを、同時に前記曲げゾーンまで搬送するステップを含み、さらに、
前記分離させるステップが、前記２つの小区分のみを前記ガラスウェブから前記罫書き線に沿って分離させて、前記中心ゾーンの連続したシートを前記ガラスウェブに接続されたまま残すステップを含む、実施形態７記載の方法。
【００７４】
実施形態１１
長さと、長さを横切る幅と、厚さとを有するガラスウェブを処理する装置であって、
前記ガラスウェブをガラスウェブ供給源から目標地点に向かって、該ガラスウェブの長さに平行な運搬方向に搬送するように構成された、運搬機構、
前記ガラスウェブに、複数の分離した罫書きセグメントを有する罫書き線を生成するように前記ガラスウェブの幅の方向に罫書きし、それにより前記罫書き線と前記ガラスウェブの先端縁部との間に該ガラスウェブの区分を画成するように構成された、罫書き機構、
前記ガラスウェブが前記運搬機構で搬送されるにつれて該ガラスウェブの前記区分の増加部分がカンチレバー状になりかつ前記ガラスウェブの前記区分の前記部分が重力下で垂下することが許容されるように、前記ガラスウェブを曲げゾーンで支持し、さらに、前記ガラスウェブの前記区分の前記部分が十分に大きくなって前記各罫書きセグメントに応力を生じさせかつ夫々の亀裂が前記ガラスウェブの前記厚さを貫通するようにさせるよう、搬送を継続するように構成された、支持機構、
前記ガラスウェブから、前記罫書き線に沿った前記ガラスウェブの前記区分の分離を可能にするように構成された、分離ゾーン、および、
前記搬送、前記罫書き、前記支持、および前記分離を繰り返して、前記ガラスウェブの複数の区分を生成するように構成された、コントローラ、
を備えていることを特徴とする装置。
【００７５】
実施形態１２
前記運搬機構が、前記ガラスウェブを連続的に搬送するように構成されており、かつ、
前記罫書き機構が、前記ガラスウェブに罫書きし、かつ前記ガラスウェブの搬送と同時に前記罫書き線を生成するように構成されている、実施形態１１記載の装置。
【００７６】
実施形態１３
前記罫書き線の１以上の前記罫書きセグメントの長さが、（ｉ）約１から約３０インチ（２．５から７５ｃｍ）、（ｉｉ）約２から約２０インチ（５から５０ｃｍ）、（ｉｉｉ）約３から約１０インチ（７．５から２５ｃｍ）、および（ｉｖ）約４〜８インチ（１０から２０ｃｍ）、のうちの１つである、および、
前記罫書き線の前記各罫書きセグメント間の１以上の間隔の長さが、（ｉ）約１から約３０インチ（２．５から７５ｃｍ）、（ｉｉ）約２から約２０インチ（５から５０ｃｍ）、（ｉｉｉ）約３から約１０インチ（７．５から２５ｃｍ）、および（ｉｖ）約４〜８インチ（１０から２０ｃｍ）、のうちの１つである、
のうちの少なくとも一方になるように、前記罫書き機構が構成されている、実施形態１１または１２記載の装置。
【００７７】
実施形態１４
前記罫書き線の１以上の前記罫書きセグメントの深さが、（ｉ）約２から約２０μｍ、（ｉｉ）約５から約１５μｍ、（ｉｉｉ）約１０μｍ、および（ｉｖ）前記ガラスウェブの前記厚さの約２から約４０％、のうちの１つになるように前記罫書き機構が構成されている、実施形態１１から１３いずれか１項記載の装置。
【００７８】
実施形態１５
前記ガラスウェブの前記厚さが、（ｉ）約５０μｍ以上、（ｉｉ）約１００μｍから約５００μｍ、（ｉｉｉ）約１００μｍから約３５０μｍ、（ｉｖ）約１００μｍ、および（ｖ）約５０μｍから約１００μｍ、のうちの１つである、実施形態１１から１４いずれか１項記載の装置。
【００７９】
実施形態１６
前記ガラスウェブがフュージョン成形されたガラスウェブである、実施形態１１から１５いずれか１項記載の装置。
【００８０】
実施形態１７
前記ガラスウェブが、
前記ガラスウェブの１つの縁部に沿った、第１の望ましくない側縁部および関連する側部ゾーン、
前記ガラスウェブの反対側の縁部に沿った、第２の望ましくない側縁部および関連する側部ゾーン、および、
前記第１の望ましくない側縁部および関連する側部ゾーンと、前記第２の望ましくない側縁部および関連する側部ゾーンとのうちの、少なくとも一方に隣接して配置された、中心ゾーン、
のうちの少なくとも１つを含む、実施形態１１から１６いずれか１項記載の装置。
【００８１】
実施形態１８
前記ガラスウェブが、前記第１の望ましくない側縁部および関連する側部ゾーン、前記第２の望ましくない側縁部および関連する側部ゾーン、および前記第１の望ましくない側縁部と前記第２の望ましくない側縁部との間に配置された前記中心ゾーン、を含み、
前記罫書き線と前記ガラスウェブの前記先端縁部との間の前記ガラスウェブの前記区分が（ｉ）前記第１の望ましくない側縁部および関連する側部ゾーンの区分と、（ｉｉ）前記第２の望ましくない側縁部および関連する側部ゾーンの区分と、（ｉｉｉ）これらの間の前記中心ゾーンの区分とを有する一体的な区分になるように、前記罫書き機構が、前記第１の望ましくない側縁部および関連する側部ゾーンと、前記第２の望ましくない側縁部および関連する側部ゾーンと、前記中心ゾーンとの夫々に罫書きするように構成されており、さらに、
前記ガラスウェブの前記区分の分離が前記ガラスウェブからの前記一体的な区分の分離をもたらすように、前記分離ゾーンが構成されている、実施形態１７記載の装置。
【００８２】
実施形態１９
前記装置が、前記罫書きの前に、前記第１の望ましくない側縁部および関連する側部ゾーンと前記第２の望ましくない側縁部および関連する側部ゾーンの夫々を、前記ガラスウェブの前記中心ゾーンから分離するように動作し、
前記罫書き線と前記ガラスウェブの前記先端縁部との間の前記ガラスウェブの前記区分が（ｉ）前記第１の望ましくない側縁部および関連する側部ゾーンの小区分と、（ｉｉ）前記第２の望ましくない側縁部および関連する側部ゾーンの小区分と、（ｉｉｉ）前記中心ゾーンの小区分とを含む分離した３つの小区分を有するように、前記罫書き機構が、前記第１の望ましくない側縁部および関連する側部ゾーンと、前記第２の望ましくない側縁部および関連する側部ゾーンと、前記中心ゾーンとの夫々に罫書きするように構成されており、
前記運搬機構が、前記ガラスウェブの前記分離した３つの小区分の全てを同時に前記曲げゾーンまで搬送するように構成されており、さらに、
前記ガラスウェブの前記区分の分離が前記ガラスウェブからの前記分離した３つの小区分の分離をもたらすように、前記分離ゾーンが構成されている、実施形態１７記載の装置。
【００８３】
実施形態２０
前記装置が、前記罫書きの前に、前記第１の望ましくない側縁部および関連する側部ゾーンと前記第２の望ましくない側縁部および関連する側部ゾーンの夫々を、前記ガラスウェブの前記中心ゾーンから分離するように動作し、
前記罫書き線と前記ガラスウェブの前記先端縁部との間の前記ガラスウェブの前記区分が（ｉ）前記第１の望ましくない側縁部および関連する側部ゾーンの小区分と、（ｉｉ）前記第２の望ましくない側縁部および関連する側部ゾーンの小区分とを含み、かつ（ｉｉｉ）前記中心ゾーンの小区分を含まない、分離した２つの小区分を有するように、前記罫書き機構が、前記第１の望ましくない側縁部および関連する側部ゾーンと前記第２の望ましくない側縁部および関連する側部ゾーンとの夫々に罫書きし、前記中心ゾーンには罫書きしないように構成されており、
前記運搬機構が、前記ガラスウェブの分離した前記２つの小区分および前記中心ゾーンを、同時に前記曲げゾーンまで搬送するように構成されており、さらに、
前記ガラスウェブの前記区分の分離が、前記ガラスウェブからの前記２つの小区分のみの前記罫書き線に沿った分離をもたらして前記中心ゾーンの連続したシートを前記ガラスウェブに接続されたまま残すものであるように、前記分離ゾーンが構成されている、実施形態１７記載の装置。
【符号の説明】
【００８４】
１０    ガラスウェブ
１０−１、１０−２、１０−２    区分
１２、１４    縁部部分
１６    中心ゾーン
１８    先端縁部
２０    運搬方向
１００    装置
１０１    運搬機構
１０２    罫書き機構
１０４    罫書き線
１２０    支持機構
１３０    分離ゾーン
【図１Ａ】
2018508450.tif 000003
【図１Ｂ】
2018508450.tif 000004
【図１Ｃ】
2018508450.tif 000005
【図２Ａ】
2018508450.tif 000006
【図２Ｂ】
2018508450.tif 000007
【図３】
2018508450.tif 000008
【図４Ａ−４Ｂ】
2018508450.tif 000009
【図５Ａ−５Ｂ】
2018508450.tif 000010
【国際調査報告】
2018508450.tif 000011
2018508450.tif 000012